(57)【要約】      （修正有）【課題】簡易な構造で安価に製造できる走行玩具のカウンタ装置を提供する。【解決手段】走行玩具の通過を検出してカウントするカウンタ装置１０において、支柱１１と、支柱１１に回転可能に軸支され、走行玩具の通過ごとに所定角度回転してカウント値を表示する表示盤１５と、表示盤１５の回転を規制するストッパ２３と、を設けた。表示盤１５には、周方向に所定間隔ごとに被規制部２１が設けられ、ストッパ２３には、被規制部２１と係合することによって表示盤１５の回転を規制する規制部を設けた。【選択図】図２
0003162486.tif 000002
【実用新案登録請求の範囲】
【請求項１】
走行玩具の通過を検出してカウントするカウンタ装置であって、
支柱と、
前記支柱に回転可能に軸支され、走行玩具の通過ごとに所定角度回転してカウント値を表示する表示盤と、
前記表示盤の回転を規制するストッパと、
を備え、
前記表示盤には、周方向に所定間隔ごとに被規制部が設けられ、
前記ストッパには、前記被規制部と係合することによって前記表示盤の回転を規制する規制部が設けられていることを特徴とする、走行玩具のカウンタ装置。
【請求項２】
走行玩具の通過を検出してカウントするカウンタ装置であって、
支柱と、
前記支柱に回転可能に軸支され、走行玩具の通過ごとに所定角度回転してカウント値を表示する表示盤と、
前記支柱に上下動可能に装着され、前記表示盤の回転を規制するストッパと、
を備え、
前記表示盤は、所定間隔ごとに谷部が形成されたカム部を備え、
前記ストッパは、前記カム部に載置されるカム当接部を備えており、前記表示盤が回転したときに前記カム部に沿って上下動するとともに、自重により前記カム当接部が前記カム部の谷部に落ち込んで前記表示盤の回転を規制することを特徴とする、走行玩具のカウンタ装置。
【請求項３】
前記表示盤は、前記所定間隔で周方向に突出形成した突出片を備えており、この突出片が通過する走行玩具に押されて回転することを特徴とする、請求項１又は２記載の走行玩具のカウンタ装置。
【請求項４】
前記表示盤は、正面にカウントされた数値を表示する表示部が形成され、背面側で前記ストッパと係合していることを特徴とする、請求項１〜３のいずれかに記載の走行玩具のカウンタ装置。
【考案の詳細な説明】
【技術分野】
【０００１】
この考案は、走行玩具の通過を検出してカウントするカウンタ装置に関するものである。
【背景技術】
【０００２】
従来、ラジオコントロールカーなどの走行玩具をコース上で走らせ、レースを行うことが行われている。また、このような競技において自動的にラップタイムや周回数を計測する装置も提案されている。
【０００３】
例えば、特許文献１には、サーキットコース上を横断するように設置される回転自在な支軸と、その支軸と一体的に回転可能で且つ支軸から垂下してサーキットコースを塞ぎ模型カーの衝突によって押し上げられるように配置されるチェッカー板と、支軸と接続してその支軸の回転運動をスイッチの作動に変換させる機構及びそのスイッチの最初の作動から次の作動までの時間を計測して表示するストップウオッチ機能を有するタイマーをケースの内部に具えてそのケースをサーキットコースの側壁に着脱自在としたタイマーユニットとから成るラップタイム計測装置が開示されている。この特許文献１記載のラップタイム計測装置においては、走行玩具がチェッカー板を押し上げた時に支軸が回転して、タイマーによる計測が開始又は停止されるようになっている。
【先行技術文献】
【特許文献】
【０００４】
【特許文献１】実用新案登録第３０３９２９４号公報
【考案の概要】
【考案が解決しようとする課題】
【０００５】
しかし、上記した特許文献１記載のラップタイム計測装置は、支軸の回転運動をスイッチの作動に変換させる機構やタイマーユニットなどを備えなければならないため、構造が複雑となって製造コストが高くなるという問題があった。
【０００６】
そこで、本考案は、簡易な構造で安価に製造できる走行玩具のカウンタ装置を提供することを課題とする。
【課題を解決するための手段】
【０００７】
本考案は、上記した課題を解決するためになされたものであり、以下を特徴とする。
【０００８】
（請求項１）
請求項１に記載の考案は、以下の点を特徴とする。
【０００９】
すなわち、請求項１に記載の走行玩具のカウンタ装置は、走行玩具の通過を検出してカウントするカウンタ装置であって、支柱と、前記支柱に回転可能に軸支され、走行玩具の通過ごとに所定角度回転してカウント値を表示する表示盤と、前記表示盤の回転を規制するストッパと、を備え、前記表示盤には、周方向に所定間隔ごとに被規制部が設けられ、前記ストッパには、前記被規制部と係合することによって前記表示盤の回転を規制する規制部が設けられていることを特徴とする。
【００１０】
（請求項２）
請求項２に記載の考案は、以下の点を特徴とする。
【００１１】
すなわち、請求項１に記載の走行玩具のカウンタ装置は、走行玩具の通過を検出してカウントするカウンタ装置であって、支柱と、前記支柱に回転可能に軸支され、走行玩具の通過ごとに所定角度回転してカウント値を表示する表示盤と、前記支柱に上下動可能に装着され、前記表示盤の回転を規制するストッパと、を備え、前記表示盤は、所定間隔ごとに谷部が形成されたカム部を備え、前記ストッパは、前記カム部に載置されるカム当接部を備えており、前記表示盤が回転したときに前記カム部に沿って上下動するとともに、自重により前記カム当接部が前記カム部の谷部に落ち込んで前記表示盤の回転を規制することを特徴とする。
【００１２】
（請求項３）
請求項３に記載の考案は、上記した請求項１又は２記載の考案の特徴点に加え、以下の点を特徴とする。
【００１３】
すなわち、前記表示盤は、前記所定間隔で周方向に突出形成した突出片を備えており、この突出片が通過する走行玩具に押されて回転することを特徴とする。
【００１４】
（請求項４）
請求項４に記載の考案は、上記した請求項１〜３のいずれかに記載の考案の特徴点に加え、以下の点を特徴とする。
【００１５】
すなわち、前記表示盤は、正面にカウントされた数値を表示する表示部が形成され、背面側で前記ストッパと係合していることを特徴とする。
【考案の効果】
【００１６】
以上のように、本考案は、支柱に回転可能に軸支されて走行玩具の通過ごとに所定角度回転してカウント値を表示する表示盤と、前記表示盤の回転を規制するストッパと、を備えている。また、表示盤が備える被規制部とストッパが備える規制部とが係合することによって表示盤の回転が規制される。このため、表示盤は、走行玩具の通過ごとに所定角度回転し、ストッパにより回転が規制されるため、正しいカウント値が表示できる。そして、このような構成を、支柱、表示盤、ストッパというシンプルかつ少数の構成部材で実現できるため、カウンタ装置を安価に製造することができる。
【図面の簡単な説明】
【００１７】
【図１】カウンタ装置を設置したサーキットコースの外観図である。
【図２】カウンタ装置の（ａ）正面図（ｂ）背面図である。
【図３】カウンタ装置の分解斜視図である。
【図４】カウンタ装置の縦断面図である。
【図５】走行玩具の外観斜視図である。
【図６】走行玩具の（ａ）正面図（ｂ）側面図である。
【図７】走行玩具によってカウンタ装置の表示盤が回転させられる様子を示す説明図である。
【考案を実施するための形態】
【００１８】
以下、本考案の実施形態について、図を参照しつつ説明する。
【００１９】
本実施形態に係るカウンタ装置１０は、図１に示すように、サーキットコース３３の側部に設置されるものであり、サーキットコース３３上を走行する走行玩具３０の通過を検出し、その検出回数をカウントするための装置である。すなわち、このカウンタ装置１０は、サーキットコース３３の周回路の所定位置に設置されることにより、このカウンタ装置１０の設置場所を走行玩具３０が通過したことを検知し、１回の検知ごとにカウンタを１つカウントアップすることにより、走行玩具３０がサーキットコース３３を何回周回したかを表示するためのものである。
【００２０】
このカウンタ装置１０は、図２及び図３が示すように、支柱１１と、この支柱１１に回転可能に軸支される表示盤１５と、この支柱１１に上下動可能に装着されるストッパ２３と、を備え、これらの部品がピン２９で結合されて形成されている。
【００２１】
支柱１１は、サーキットコース３３の側部に立設するように固定されるものであり、図３に示すように、下端部に差込脚部１３と下垂部１４とを有している。差込脚部１３は、支柱１１の軸に沿って下方に突出した棒状の部位として形成され、下垂部１４は、この差込脚部１３と平行に下方に延びる帯状の部位として形成されている。
【００２２】
この支柱１１をサーキットコース３３に固定するには、図４に示すように、差込脚部１３をサーキットコース３３の差込凹部３５に差し込むとともに、下垂部１４の内側に形成された係止爪１４ａをサーキットコース３３側面の係止部３６に係止する。これにより、差込脚部１３を差し込み固定したときに、更に差込脚部１３と下垂部１４とでサーキットコース３３の縁部を挟み込むようにして、支柱１１がしっかりとサーキットコース３３に固定されるようになっている。
【００２３】
また、この支柱１１は、図３に示すように、ピン２９を受けるための軸孔１２を備えており、この軸孔１２でピン２９を受けることにより、後述する表示盤１５やストッパ２３を支持可能に形成されている。
【００２４】
表示盤１５は、走行玩具３０の通過ごとに所定角度回転してカウント値を表示するものであり、図２及び図３に示すように、前述した支柱１１に回転可能に軸支される。
【００２５】
この表示盤１５は、図３に示すように、正面（サーキットコース３３に固定されたときにサーキットコース３３に臨む側の面）側に設けられた円盤１７と、背面側に設けられたカム部２０と、を貼り合わせた形状をしている。そして、中央にピン２９を挿通するための回転軸孔１６が貫通形成されており、ピン２９で支柱１１に固定されたときに、この回転軸孔１６を中心に回転可能に形成されている。
【００２６】
この表示盤１５の正面には、図２に示すように、カウントされた数値を表示する円形の表示部１８が設けられている。この表示部１８は、内角が均等となるように分割された領域に順に数字が表示されたものであり、後述するストッパ２３の指示表示部２７が指し示すことで、表示部１８の最上部の数値をカウント値として表示する。本実施形態においては、図２（ａ）に示すように、表示部１８の領域を均等に７分割し、この各区画に、後述する表示盤１５の回転方向に行くに従って数字が大きくなるように、０から７までのカウント値が順に割り振られて表示されている。
【００２７】
ところで、この表示盤１５の正面側に設けられた円盤１７の外周縁には、前述した表示部１８の分割された区画の境目に対応するように突出片１９が突出形成されている。後述するように、この突出片１９は、表示盤１５を回転させるためのレバーとして作用するものであり、通過する走行玩具３０と接触することで表示盤１５を回転可能に形成されている。
【００２８】
また、この表示盤１５の背面側に設けられたカム部２０は、図２及び図３に示すように、谷部２１と山部２２とが交互に形成された形状をしており、後述するストッパ２３のカム当接部２６と接触して板カムとして作用するものである。このカム部２０の谷部２１及び山部２２は、前述した突出片１９と同じ間隔で設けられており、図２に示すように、表裏で見たときに、山部２２がちょうど突出片１９と対応する位置に配置されている。言い換えると、表示部１８における各区画と谷部２１とがちょうど表裏で対応するように配置されている。なお、このカム部２０の谷部２１は、表示盤１５の回転を規制する目的で後述するカム当接部２６と係合させられるものであり、被規制部として設けられている。
【００２９】
ストッパ２３は、図２及び図３に示すように、支柱１１に上下動可能に装着されて、表示盤１５の回転を規制するためのものである。このストッパ２３は、円盤状の中央部２４に縦長の長孔２５が形成されており、この長孔２５にピン２９を貫通させることにより、支柱１１と表示盤１５との間において支柱１１に固定される。このとき、ピン２９は長孔２５の長手方向に摺動可能であるため、この長孔２５の上下端の幅の範囲において、ストッパ２３が支柱１１に対して上下にスライド可能となっている。また、このストッパ２３の背面側には、支柱１１の側部をスライド可能に保持する保持片２８が設けられており、ストッパ２３が安定して上下動できるようにこの保持片２８でガイドしている。
【００３０】
ところで、このストッパ２３の上端には、図３に示すように中央部２４よりも正面方向に突出したカム当接部２６が形成されている。このカム当接部２６は、前述した被規制部としてのカム部２０の谷部２１と係合する規制部として設けられるものであり、図４に示すように、前記したカム部２０の厚みとほぼ同じ程度に突出してカム部２０の最上部に載置される。また、前述したように、ストッパ２３は支柱１１に対して上下動可能に装着されているため、このカム当接部２６は、表示盤１５の回転に伴い、カム部２０の上部に沿って上下動するようになっている。
【００３１】
なお、このストッパ２３は、上記したようにカム部２０に沿って上下動可能であるが、自由状態においては、自重によりカム部２０の谷部２１に落ち込んで表示盤１５の回転を規制するようになっている。すなわち、表示盤１５の回転に係る摺動抵抗よりもストッパ２３の自重の方が勝るため、仮にカム当接部２６がカム部２０の谷部２１以外の場所に位置していたとしても、ストッパ２３の自重により表示盤１５が回転し、この表示盤１５の回転は、カム当接部２６がカム部２０の谷部２１に落ち込む位置で停止する。そして、自重によりカム部２０の谷部２１に落ち込んだカム当接部２６は、上からカム部２０を押え付けて表示盤１５の回転を規制する。
【００３２】
このストッパ２３は、上記したように表示盤１５の回転を規制することで、表示盤１５の回転角度を調節し、これにより表示盤１５が適正にカウント値を表示できるようにしている。なお、本実施形態においては、図２（ａ）に示すように、ストッパ２３のカム当接部２６の正面側に指示表示部２７を設け、この指示表示部２７でカウント値を指し示すようにしている。この指示表示部２７は、表示盤１５の最上部を指し示すようになっており、言い換えると、カム当接部２６が自重により落ち込んでいる谷部２１の裏側を指し示すようになっている。ここで、前述したように、表示部１８におけるカウント値の区画と谷部２１とがちょうど表裏で対応するため、指示表示部２７は、カム当接部２６が自重により落ち込んでいる谷部２１と対応するカウント値を指し示すようになっている。
【００３３】
次に、本実施形態に係るカウンタ装置１０を実際に使用した場合の動作について説明する。
【００３４】
図５は、走行玩具３０の例を示す図である。この走行玩具３０は、図示しないコントローラで操作可能なラジオコントロールカーであり、図１及び図６（ａ）に示すように、底面にガイド突起３２が設けられている。このガイド突起３２は、サーキットコース３３に設けられた走行溝３４に挿入されるものであり、これにより、走行玩具３０が走行溝３４にそって走行するように形成されている。
【００３５】
また、この走行玩具３０の後部側には、図５及び図６に示すように、両側に張り出した押動片３１が設けられており、この押動片３１で表示盤１５の突出片１９を押動することにより、表示盤１５を回転させる。
【００３６】
すなわち、図７（ａ）に示すように、走行玩具３０とカウンタ装置１０とが接触していない状態においては、カム当接部２６が谷部Ａに落ち込んで、表示盤１５が回転しないように上から押えている。
【００３７】
この状態で走行玩具３０がサーキットコース３３上を走行してくると、図７（ｂ）に示すように、表示盤１５の最下部の突出片１９と、走行玩具３０の押動片３１と、が接触し、走行玩具３０に押されて表示盤１５が回転する。この表示盤１５の回転に伴ってカム部２０も回転するため、カム当接部２６は、カム部２０に沿って上方へと持ち上げられ、前記した谷部Ａと隣接する山部Ｂを越える。
【００３８】
更に走行玩具３０がサーキットコース３３を走行し、カウンタ装置１０の近傍を通過すると、図７（ｂ）に示すように、押動片３１と表示盤１５の突出片１９との係合が外れる。このとき、カム当接部２６は、山部Ｂと隣接する谷部Ｃの位置に落ち込むように作用する。そして、このストッパ２３は、自重によりカム部２０を押え付けて表示盤１５の回転を規制する。
【００３９】
なお、図２（ｂ）に示すように、カム部２０の谷部２１と山部２２との間の傾斜部２０ａは外側に膨らむように湾曲している。このため、谷部２１付近と比較して山部２２付近の傾斜角度が大きくなっており、表示盤１５が回転することにより山部２２を超えたカム当接部２６がスムーズに次の谷部２１へと導かれるようになっている。
【００４０】
上記したように、走行玩具３０がカウンタ装置１０の近傍を通過すると、その通過ごとに表示盤１５が所定角度回転するようになっている。このため、指示表示部２７が指し示す表示部１８上のカウント値が１ずつ増えるように形成されており、走行玩具３０がサーキットコース３３を何回周回したかを表示することができる。
【００４１】
なお、本実施形態に係るカウンタ装置１０によれば、走行玩具３０が逆走した場合にはカウント値が減る方向に表示盤１５が回転する。このため、例えば誤作動などにより走行玩具３０がカウンタ装置１０付近で前後に往復したとしても、カウンタ装置１０は１回の通過としてカウントするため、不正なカウントが行われない。
【００４２】
以上のように、本実施形態によれば、表示盤１５が走行玩具３０の通過ごとに所定角度回転し、この表示盤１５の回転がストッパ２３で規制されるため、正しいカウント値を表示できる。そして、このような構成を、支柱１１、表示盤１５、及びストッパ２３というシンプルかつ少数の構成部材で実現できるため、カウンタ装置１０を安価に製造することができる。
【００４３】
なお、上記した実施形態においては、被規制部として谷部２１を設け、規制部としてカム当接部２６を設けたが、これに限らない。例えば、被規制部として表示盤１５の周方向に所定間隔ごとに凹部や凸部を設けるとともに、ストッパ２３には、これら凹部や凸部と係合可能な規制部を設け、この規制部が被規制部の方向に付勢されることによって表示盤１５の回転を規制することとしてもよい。
【符号の説明】
【００４４】
１０  カウンタ装置
１１  支柱
１２  軸孔
１３  差込脚部
１４  下垂部
１４ａ  係止爪
１５  表示盤
１６  回転軸孔
１７  円盤
１８  表示部
１９  突出片
２０  カム部
２０ａ  傾斜部
２１  谷部（被規制部）
２２  山部
２３  ストッパ
２４  中央部
２５  長孔
２６  カム当接部（規制部）
２７  指示表示部
２８  保持片
２９  ピン
３０  走行玩具
３１  押動片
３２  ガイド突起
３３  サーキットコース
３４  走行溝
３５  差込凹部
３６  係止部
【図１】
0003162486.tif 000003
【図２】
0003162486.tif 000004
【図３】
0003162486.tif 000005
【図４】
0003162486.tif 000006
【図５】
0003162486.tif 000007
【図６】
0003162486.tif 000008
【図７】
0003162486.tif 000009